(57)【特許請求の範囲】
【請求項１】
複数の毛材が取り付けられるかつらベースであって、
基部と、
前記基部の外側に張り出す複数の張出部と、を備え、
複数の前記張出部が共通の前記基部に繋がるとともに、互いに隣り合う前記張出部同士が分断されて相互に独立しており、
前記複数の張出部は、一対の縁辺及びこれらの縁辺を前記基部の外側に突出する円弧状に繋ぐ中間辺を有するとともに前記基部の前方に張り出す前方張出部と、一対の縁辺及びこれらの縁辺を前記基部の外側に突出する円弧状に繋ぐ中間辺を有するとともに前記基部の後方に張り出す後方張出部とを含み、
前記前方張出部の各縁辺の長さが前記後方張出部の各縁辺の長さよりも長くするとともに前記前方張出部の中間辺の長さが前記後方張出部の中間辺の長さよりも長くすることにより、前記前方張出部の面積が前記後方張出部の面積よりも大きく設定された、かつらベース。
【請求項２】
３つ以上の前記張出部が、前記基部を中心として当該基部を囲むように配置される、請求項１に記載のかつらベース。
【請求項３】
複数の前記張出部は、前記基部の左方に張り出す左方張出部と、前記基部の右方に張り出す右方張出部と、をさらに含んでいる、請求項２に記載のかつらベース。
【請求項４】
互いに隣り合う前記張出部同士は、使用者の頭部における地毛が引き出される空間を介して相互に独立する、請求項１〜３のいずれか一項に記載のかつらベース。
【請求項５】
請求項１〜４のいずれか一項に記載のかつらベースと、
前記かつらベース上に取り付けられる複数の毛材と、を備え、
複数の前記毛材は、前記かつらベースの前記基部上に取り付けられる複数の基部用毛材と、前記かつらベースの前記各張出部上に取り付けられる複数の張出部用毛材と、を有する、かつら。
【請求項６】
前記各基部用毛材が取り付けられるとともに前記基部に固定される基部用毛材ベースをさらに備える、請求項５に記載のかつら。
【請求項７】
前記基部用毛材ベースは、前記各基部用毛材が放散する渦中心となる旋毛部を有し、
平面視における前記かつらベースの図心は、前記旋毛部よりも前方に位置する、請求項６に記載のかつら。
【請求項８】
平面視して、
前記かつらベースの外縁は、前記各張出部の外縁と前記基部の外縁との境界となる複数の境界点を有し、
前記各境界点は、前記基部用毛材ベースの外側に位置する、請求項６または請求項７に記載のかつら。
【請求項９】
複数の毛材が取り付けられるかつらベースであって、基部と、前記基部の外側に張り出す複数の張出部と、を備え、複数の前記張出部が共通の前記基部に繋がるとともに、互いに隣り合う前記張出部同士が分断されて相互に独立するかつらベースと、
前記かつらベース上に取り付けられる複数の毛材と、を備え、
複数の前記毛材は、前記かつらベースの前記基部上に取り付けられる複数の基部用毛材と、前記かつらベースの前記各張出部上に取り付けられる複数の張出部用毛材と、を有し、
前記各張出部用毛材が取り付けられるとともに前記各張出部に固定される複数の張出部用毛材ベースをさらに備え、
前記かつらベースは、使用者の頭皮側に位置する第１主面と、前記第１主面の反対側に位置する第２主面と、を有し、
平面視して、前記張出部の外縁は、前記基部から当該基部の外側へと延びる縁辺を有し、
前記張出部用毛材ベースは、当該張出部用毛材ベースの長さ方向における中間に位置する中間部と、前記長さ方向において前記中間部に連続する端部と、を有し、前記中間部が前記第２主面上に位置するとともに前記端部が前記第１主面上に位置するように前記縁辺において折り返され、
前記各張出部用毛材は、前記張出部用毛材ベースの長さ方向に並ぶように、前記中間部から前記端部に亘って前記張出部用毛材ベースに取り付けられる、かつら。
【発明の詳細な説明】
【技術分野】
【０００１】
本発明は、かつらベースおよびこれを備えるかつらに関する。
【背景技術】
【０００２】
従来、使用者の頭部の外観を向上させるためのかつらとして、複数の毛材と、当該各毛材が取り付けられるかつらベースと、を備えたかつらが知られている。このかつらの一例として、特許文献１には、複数の毛材と、楕円形状をなすとともに前記各毛材が植毛された人工皮膚と、を備えた部分かつら素材が記載されている。特許文献１の部分かつら素材では、人工皮膚は、中央部分と、当該中央部分を周方向に取り囲む周縁部分とを有しており、当該中央部分および周縁部分の双方に各毛材が植毛されている。
【先行技術文献】
【特許文献】
【０００３】
【特許文献１】特開平８−１５８１３０号公報
【発明の概要】
【発明が解決しようとする課題】
【０００４】
特許文献１の部分かつら素材では、全体が一体化された単一の当該部分かつら素材によって、使用者の頭部における外観の向上を図ることができるものの、周縁部分が中央部分を周方向に取り囲んでいるため、当該周縁部分の一部に植毛された毛材が引っ張られた際に、使用者の頭部の外観が悪化する可能性がある。具体的には、特許文献１の部分かつら素材が使用者の頭部に装着された状態で、例えば使用者が周縁部分の一部に植毛された毛材に触れた場合、あるいは当該毛材が風に吹かれた場合に、周縁部分の一部が所定の位置からずれると、当該周縁部分の一部と一体に形成された周縁部分の残部および中央部分も同様に所定の位置からずれ、使用者の地毛に対する各毛材の動きが不自然なものとなる。これにより、使用者の頭部における風合いに違和感が生じ、当該頭部の外観が悪化する。
【０００５】
本発明は、上記の観点からなされたものであり、その目的は、全体が一体化されたかつらベースおよび当該かつらベースを備えるかつらにおいて、使用者の頭部の外観が悪化することを抑止することにある。
【課題を解決するための手段】
【０００６】
本発明に係るかつらベースは、複数の毛材が取り付けられるかつらベースであって、基部と、前記基部の外側に張り出す複数の張出部と、を備え、複数の前記張出部が共通の前記基部に繋がるとともに、互いに隣り合う前記張出部同士が分断されて相互に独立しており、前記複数の張出部は、一対の縁辺及びこれらの縁辺を前記基部の外側に突出する円弧状に繋ぐ中間辺を有するとともに前記基部の前方に張り出す前方張出部と、一対の縁辺及びこれらの縁辺を前記基部の外側に突出する円弧状に繋ぐ中間辺を有するとともに前記基部の後方に張り出す後方張出部とを含み、前記前方張出部の各縁辺の長さが前記後方張出部の各縁辺の長さよりも長くするとともに前記前方張出部の中間辺の長さが前記後方張出部の中間辺の長さよりも長くすることにより、前記前方張出部の面積が前記後方張出部の面積よりも大きく設定された、かつらベースである。
【０００７】
上記のかつらベースは、複数の張出部が共通の基部に繋がることにより全体として一体化されつつ、互いに隣り合う張出部同士が分断されて相互に独立するため、使用者の頭部に装着された状態で当該頭部の外観が悪化することを抑止できる。具体的には、上記のかつらベースでは、当該かつらベースの各張出部上に複数の毛材が取り付けられた状態で当該かつらベースが使用者の頭部に装着された場合に、互いに隣り合う張出部のうち一方の張出部が所定の位置からずれたとしても、これに伴って他方の張出部が所定の位置からずれることを抑止できるため、当該他方の張出部上に取り付けられた毛材の動きが使用者の地毛に対して不自然なものとなることを抑止できる。
【０００８】
本発明に係るかつらベースは、３つ以上の前記張出部が前記基部を中心として当該基部を囲むように配置されることが好ましい。
【０００９】
上記のかつらベースは、基部が使用者の旋毛上に配置されることによって、各張出部が旋毛を囲むように配置されるため、頭頂部に装着されるかつらにおけるかつらベースとして好適である。
【００１０】
複数の前記張出部は、前記基部の左方に張り出す左方張出部と、前記基部の右方に張り出す右方張出部と、をさらに含んでいることが好ましい。
【００１１】
ここで、「基部の前方に張り出す」とは、当該基部が使用者の旋毛上に配置された状態において、当該基部から前頭部側に張り出すことを指す。また、「基部の後方に張り出す」とは、当該基部が使用者の旋毛上に配置された状態において、当該基部から後頭部側に張り出すことを指す。また、「基部の左方に張り出す」とは、当該基部が使用者の旋毛上に配置された状態において、当該基部から左側頭部側に張り出すことを指す。また、「基部の右方に張り出す」とは、当該基部が使用者の旋毛上に配置された状態において、当該基部から右側頭部側に張り出すことを指す。
【００１２】
上記のかつらベースは、基部が使用者の旋毛上に配置されることによって、前方張出部が前頭部上に配置されるとともに、後方張出部が後頭部上に配置され、左方張出部および右方張出部が左右の側頭部上にそれぞれ配置されるため、頭頂部に装着されるかつらにおけるかつらベースとして好適である。そして、上記のかつらベースでは、当該かつらベースの各張出部上に複数の毛材が取り付けられた状態で当該かつらベースが使用者の頭部に装着された場合に、例えば使用者が前髪を掻き上げることにより前方張出部が所定の位置からずれたとしても、これに応じて後方張出部、左方張出部、および右方張出部が所定の位置からずれることを抑止できるため、後方張出部、左方張出部、および右方張出部上に取り付けられた毛材の動きが使用者の地毛に対して不自然なものとなることを抑止できる。
【００１３】
互いに隣り合う前記張出部同士は、使用者の頭部における地毛が引き出される空間を介して相互に独立することが好ましい。
【００１４】
上記のかつらベースでは、当該かつらベース上に複数の毛材が取り付けられた状態で当該かつらベースが使用者の頭部に装着された場合に、当該頭部における地毛に対する各毛材の風合いを自然なものとすることができる。使用者の頭部における地毛に対してかつらベース上に取り付けられる各毛材の風合いを自然なものとするためには、例えばかつらベースに開口部を設け、当該開口部から露出する地毛と各毛材とを馴染ませることが考えられる。しかしながら、この場合、かつらベースが使用者の頭部に装着されるに際して、当該かつらベースの開口部に地毛を通す必要があり、かつらベースの装着に手間がかかる。一方、上記のかつらベースでは、当該かつらベースが使用者の頭部に装着されるに際して、互いに隣り合う各張出部間の空間から使用者の地毛が自然に引き出され、当該引き出された地毛とかつらベース上の各毛材とをなじませることによって、頭部における地毛に対する各毛材の風合いを容易に自然なものとすることができる。
【００１５】
本発明に係るかつらは、本発明に係るかつらベースと、前記かつらベース上に取り付けられる複数の毛材と、を備え、複数の前記毛材は、前記かつらベースの前記基部上に取り付けられる複数の基部用毛材と、前記かつらベースの前記各張出部上に取り付けられる複数の張出部用毛材と、を有する。
【００１６】
上記のかつらは、本発明に係るかつらベースを備えるため、全体として一体化されつつも、使用者の頭部に装着された状態で当該頭部の外観が悪化することを抑止できる。
【００１７】
本発明に係るかつらは、前記各基部用毛材が取り付けられるとともに前記基部に固定される基部用毛材ベースをさらに備えることが好ましい。
【００１８】
上記のかつらでは、複数の基部用毛材が取り付けられた状態の基部用毛材ベースを基部に固定することにより、当該複数の基部用毛材を基部上に容易に取り付けることができる。
【００１９】
前記基部用毛材ベースは、前記各基部用毛材が放散する渦中心となる旋毛部を有し、平面視における前記かつらベースの図心は、前記旋毛部よりも前方に位置することが好ましい。
【００２０】
上記のかつらでは、かつらベースの図心が旋毛部よりも前方に位置するため、旋毛部から前記前後方向の前方に位置する張出部の外縁までの長さを長くすることができ、これにより使用者の前頭部の外観を向上することができる。前頭部は、例えば鏡等によって視認されやすい部位であり、かつらの使用者は、当該前頭部における前髪の分け目の外観の向上を目的として当該かつらを装着することがある。上記のかつらでは、基部用毛材ベースの旋毛部から当該旋毛部の前方に位置する張出部の外縁までの長さが長いため、当該張出部上に取り付けられた毛材によって前髪の分け目を補うことができ、これにより前頭部の外観を向上することができる。
【００２１】
平面視して、前記かつらベースの外縁は、前記各張出部の外縁と前記基部の外縁との境界となる複数の境界点を有し、前記各境界点は、前記基部用毛材ベースの外側に位置することが好ましい。
【００２２】
上記のかつらでは、平面視して各張出部の外縁と基部の外縁との各境界点が基部用毛材ベースの外側に位置するため、使用者の頭部の外観が悪化することをより抑止できる。具体的には、上記のかつらでは、当該かつらが使用者の頭部に装着された場合に、張出部用毛材が引っ張られることにより前記各境界点に外力が加わったとしても、当該各境界点が基部用毛材ベースの外側に位置するため、当該基部用毛材ベースが所定の位置からずれることを抑止でき、これにより使用者の地毛に対する基部用毛材の動きが不自然なものとなることを抑止できる。
【００２３】
本発明に係るかつらは、複数の毛材が取り付けられるかつらベースであって、基部と、前記基部の外側に張り出す複数の張出部と、を備え、複数の前記張出部が共通の前記基部に繋がるとともに、互いに隣り合う前記張出部同士が分断されて相互に独立するかつらベースと、前記かつらベース上に取り付けられる複数の毛材と、を備え、複数の前記毛材は、前記かつらベースの前記基部上に取り付けられる複数の基部用毛材と、前記かつらベースの前記各張出部上に取り付けられる複数の張出部用毛材と、を有し、前記各張出部用毛材が取り付けられるとともに前記各張出部に固定される複数の張出部用毛材ベースをさらに備え、前記かつらベースは、使用者の頭皮側に位置する第１主面と、前記第１主面の反対側に位置する第２主面と、を有し、平面視して、前記張出部の外縁は、前記基部から当該基部の外側へと延びる縁辺を有し、前記張出部用毛材ベースは、当該張出部用毛材ベースの長さ方向における中間に位置する中間部と、前記長さ方向において前記中間部に連続する端部と、を有し、前記中間部が前記第２主面上に位置するとともに前記端部が前記第１主面上に位置するように前記縁辺において折り返され、前記各張出部用毛材は、前記張出部用毛材ベースの長さ方向に並ぶように、前記中間部から前記端部に亘って前記張出部用毛材ベースに取り付けられる。
【００２４】
上記のかつらでは、中間部が第２主面上に位置するとともに端部が第１主面上に位置するように張出部用毛材ベースが縁辺において折り返されているため、使用者の頭部の外観が悪化することをより抑止できる。例えば、張出部用毛材ベースが第２主面上にのみ位置する場合、当該張出部用毛材が張出部における縁辺の延びる方向に沿って配置されると、当該縁辺が毛材から露出し、これにより当該縁辺が視認される可能性がある。上記のかつらでは、張出部用毛材ベースが縁辺において折り返されるとともに複数の張出部用毛材が中間部から端部に亘って設けられるため、当該縁辺が張出部用毛材に覆われ、これにより当該縁辺が視認される可能性を低減できる。
【発明の効果】
【００２５】
本発明によれば、全体が一体化されつつも使用者の頭部の外観が悪化することを抑止できるかつらベースおよびかつらが提供される。
【図面の簡単な説明】
【００２６】
【図１】本実施形態に係るかつらベースを示す概略平面図である。
【図２】本実施形態に係るかつらを示す概略平面図である。
【図３】本実施形態に係る基部用毛材および基部用毛材ベースを示す概略図である。
【図４】本実施形態に係る張出部用毛材および張出部用毛材ベースを示す概略図である。
【図５】本実施形態に係るかつらにおいて、かつらベースの前方張出部を拡大した概略図である。
【図６】図５に示すＩ−Ｉ線断面図である。
【図７】図５に示すＩＩ−ＩＩ線断面図である。
【発明を実施するための形態】
【００２７】
以下、本発明の一実施形態について、図面を参照しながら説明する。但し、以下で参照する各図は、説明の便宜上、本発明の一実施形態の構成部のうち、本実施形態を説明するために必要な主要部を簡略化して示したものである。したがって、本発明に係るかつらベースおよびかつらは、本明細書が参照する各図に示されていない任意の構成部を備え得る。
【００２８】
図１は、本実施形態に係るかつらベースＸ１を示す。かつらベースＸ１は、第１主面Ａ１と、第２主面Ａ２と、を有している。第１主面Ａ１は、かつらベースＸ１が使用者の頭部に装着される際に、当該頭部における頭皮側に位置する面である。第２主面Ａ２は、第１主面Ａ１の反対側に位置する面である。図１は、かつらベースＸ１を第２主面Ａ２側から平面視した図である。
【００２９】
本実施形態に係るかつらベースＸ１は、ネットタイプのかつらベースであって、ナイロンよりなる網目状のメッシュ素材からなる。なお、かつらベースＸ１は、例えば人工皮膚タイプのかつらベースであってもよい。
【００３０】
かつらベースＸ１は、基部２と、複数の張出部４と、を備えている。
【００３１】
基部２は、かつらベースＸ１の中央部分である。本実施形態では、基部２は、使用者の頭部における旋毛を覆うように、頭頂部上に配置される。また、本実施形態では、基部２は、略楕円形状をなしている。具体的には、図１に示すように、平面視における基部２の外縁３は、４つの外縁３１〜３４を含んでおり、各外縁３１〜３４と当該各外縁３１〜３４を滑らかに繋いだ点線とによって取り囲まれる部位である基部２が点Ｏ１を図心とする略楕円形状をなしている。外縁３１，３４の長さは、例えば０．７ｃｍ程度に設定される。また、外縁３２，３３の長さは、例えば０．６ｃｍ程度に設定される。なお、基部２の形状は任意であって、かつらベースＸ１の使用態様に応じて適宜変更することができる。例えば、基部２は、円形状または多角形状等であってもよい。
【００３２】
基部２は、当該基部２が使用者の頭頂部上に配置される際に、当該使用者の左側頭部と右側頭部とを結ぶ左右方向に沿って延びる略楕円形状を有する。具体的には、基部２は、当該基部２が使用者の頭頂部上に配置される際に、当該使用者の前頭部と後頭部とを結ぶ前後方向の長さよりも前記左右方向の長さが長い。
【００３３】
複数の張出部４は、かつらベースＸ１の周縁部分である。本実施形態では、複数の張出部４は、左方張出部４１、右方張出部４２、後方張出部４３、および前方張出部４４の４つの張出部からなる。各張出部４１〜４４は、基部２を中心として当該基部２を取り囲むように配置されている。なお、複数の張出部４の個数は任意であって、かつらベースＸ１の使用態様に応じて適宜変更することができる。例えば、複数の張出部４は、３つの張出部から構成されてもよいし、５つ以上の張出部から構成されてもよい。
【００３４】
複数の張出部４は、外縁５を有している。外縁５は、基部２の外縁３に連続している。かつらベースＸ１の外縁は、基部２の外縁３と、張出部４の外縁５と、によって構成される。
【００３５】
左方張出部４１は、基部２に繋がっているとともに、当該基部２の左方に張り出している。ここで、基部２の左方とは、当該基部２が使用者の頭頂部上に配置された際における左側頭部側を指す。
【００３６】
左方張出部４１における外縁５は、縁辺５１ａ，５１ｂと、中間辺５１ｃと、を有している。図１に示すように、縁辺５１ａは、基部２の外縁３２の一端に連続しており、当該基部２の外側へと延びている。前記外縁３２の一端は、基部２の外縁３と張出部４の外縁５との境界である境界点Ｂ１となる。縁辺５１ｂは、基部２の外縁３１の一端に連続しており、当該基部２の外側へと延びている。前記外縁３１の一端は、基部２の外縁３と張出部４の外縁５との境界である境界点Ｂ２となる。縁辺５１ａ，５１ｂの長さは、例えば２．０ｃｍ程度に設定される。中間辺５１ｃは、縁辺５１ａと縁辺５１ｂとを繋ぐ辺である。本実施形態では、中間辺５１ｃは、基部２の径方向に突出する滑らかな円弧状の辺である。
【００３７】
右方張出部４２は、基部２に繋がっているとともに、基部２の右方に張り出している。ここで、基部２の右方とは、当該基部２が使用者の頭頂部上に配置された際における右側頭部側を指す。
【００３８】
右方張出部４２における外縁５は、縁辺５２ａ，５２ｂと、中間辺５２ｃと、を有している。図１に示すように、縁辺５２ａは、基部２の外縁３４の一端に連続しており、当該基部２の外側へと延びている。前記外縁３４の一端は、基部２の外縁３と張出部４の外縁５との境界である境界点Ｂ３となる。縁辺５２ｂは、基部２の外縁３３の一端に連続しており、当該基部２の外側へと延びている。前記外縁３３の一端は、基部２の外縁３と張出部４の外縁５との境界である境界点Ｂ４となる。縁辺５２ａ，５２ｂの長さは、例えば２．０ｃｍ程度に設定される。中間辺５２ｃは、縁辺５２ａと縁辺５２ｂとを繋ぐ辺である。本実施形態では、中間辺５２ｃは、基部２の径方向に突出する滑らかな円弧状の辺である。
【００３９】
後方張出部４３は、基部２に繋がっているとともに、基部２の後方に張り出している。ここで、基部２の後方とは、当該基部２が使用者の頭頂部上に配置された際における後頭部側を指す。
【００４０】
後方張出部４３における外縁５は、縁辺５３ａ，５３ｂと、中間辺５３ｃと、を有している。図１に示すように、縁辺５３ａは、基部２の外縁３３の他端に連続しており、当該基部２の外側へと延びている。前記外縁３３の他端は、基部２の外縁３と張出部４の外縁５との境界である境界点Ｂ５となる。縁辺５３ｂは、基部２の外縁３２の他端に連続しており、当該基部２の外側へと延びている。前記外縁３２の他端は、基部２の外縁３と張出部４の外縁５との境界である境界点Ｂ６となる。縁辺５３ａ，５３ｂの長さは、例えば１．８ｃｍ程度に設定される。中間辺５３ｃは、縁辺５３ａと縁辺５３ｂとを繋ぐ辺である。本実施形態では、中間辺５３ｃは、基部２の径方向に突出する滑らかな円弧状の辺である。
【００４１】
後方張出部４３は、左方張出部４１および右方張出部４２と隣り合うように位置している。具体的には、後方張出部４３は、左方張出部４１と右方張出部４２との間に位置している。後方張出部４３の縁辺５３ｂは、左方張出部４１の縁辺５１ａと隣り合うように位置している。これにより、後方張出部４３と左方張出部４１とは、分断されて相互に独立している。本実施形態では、後方張出部４３の縁辺５３ｂと左方張出部４１の縁辺５１ａとの間には、使用者の頭部における地毛が引き出される空間Ｓ１が存在しており、当該空間Ｓ１を挟んで後方張出部４３と左方張出部４１とが相互に独立している。また、後方張出部４３の縁辺５３ａは、右方張出部４２の縁辺５２ｂと隣り合うように位置している。これにより、後方張出部４３と右方張出部４２とは、分断されて相互に独立している。本実施形態では、後方張出部４３の縁辺５３ａと右方張出部４２の縁辺５２ｂとの間には、使用者の頭部における地毛が引き出される空間Ｓ２が存在しており、当該空間Ｓ２を挟んで後方張出部４３と右方張出部４２とが相互に独立している。
【００４２】
前方張出部４４は、基部２に繋がっているとともに、基部２の前方に張り出している。ここで、基部２の前方とは、当該基部２が使用者の頭頂部上に配置された際における前頭部側を指す。
【００４３】
前方張出部４４における外縁５は、縁辺５４ａ，５４ｂと、中間辺５４ｃと、を有している。図１に示すように、縁辺５４ａは、基部２の外縁３１の他端に連続しており、当該基部２の外側へと延びている。前記外縁３１の他端は、基部２の外縁３と張出部４の外縁５との境界である境界点Ｂ７となる。縁辺５４ｂは、基部２の外縁３４の他端に連続しており、当該基部２の外側へと延びている。前記外縁３４の他端は、基部２の外縁３と張出部４の外縁５との境界である境界点Ｂ８となる。縁辺５４ａ，５４ｂは、後方張出部４３の縁辺５３ａ，５３ｂよりも長く設定される。具体的には、縁辺５４ａ，５４ｂの長さは、例えば２．８ｃｍ程度に設定される。中間辺５４ｃは、縁辺５４ａと縁辺５４ｂとを繋ぐ辺である。本実施形態では、中間辺５４ｃは、基部２の径方向に突出する滑らかな円弧状の辺である。中間辺５４ｃは、後方張出部４３の中間辺５３ｃよりも長く設定される。
【００４４】
前方張出部４４は、左方張出部４１および右方張出部４２と隣り合うように位置している。具体的には、前方張出部４４は、左方張出部４１と右方張出部４２との間に位置している。前方張出部４４の縁辺５４ａは、左方張出部４１の縁辺５１ｂと隣り合うように位置している。これにより、前方張出部４４と左方張出部４１とは、分断されて相互に独立している。本実施形態では、前方張出部４４の縁辺５４ａと左方張出部４１の縁辺５１ｂとの間には、使用者の頭部における地毛が引き出される空間Ｓ３が存在しており、当該空間Ｓ３を挟んで前方張出部４４と左方張出部４１とが相互に独立している。また、前方張出部４４の縁辺５４ｂは、右方張出部４２の縁辺５２ａと隣り合うように位置している。これにより、前方張出部４４と右方張出部４２とは、分断されて相互に独立している。本実施形態では、前方張出部４４の縁辺５４ｂと右方張出部４２の縁辺５２ａとの間には、使用者の頭部における地毛が引き出される空間Ｓ４が存在しており、当該空間Ｓ４を挟んで前方張出部４４と右方張出部４２とが相互に独立している。
【００４５】
このように、かつらベースＸ１では、複数の張出部４が共通の基部２に繋がっているとともに、互いに隣り合う張出部４同士が分断されて相互に独立している。なお、本実施形態では、互いに隣り合う張出部４同士が空間Ｓ１〜Ｓ４を介して相互に独立しているが、これに限らない。例えば、かつらベースＸ１の周縁部分に切れ込みを形成することにより、互いに隣り合う張出部４同士が当該切れ込みを介して相互に独立していてもよい。
【００４６】
平面視におけるかつらベースＸ１の図心Ｏ２は、基部２の図心Ｏ１よりも前方に位置している。具体的には、かつらベースＸ１では、前方張出部４４の縁辺５４ａ，５４ｂが後方張出部４３の縁辺５３ａ，５３ｂよりも長く設定されており、これによりかつらベースＸ１全体の図心Ｏ２が基部２の図心Ｏ１よりも前方張出部４４側に位置している。
【００４７】
左右方向におけるかつらベースＸ１の長さは、前後方向におけるかつらベースＸ１の長さよりも長く設定されている。左右方向におけるかつらベースＸ１の長さは、例えば９．５ｃｍ程度に設定される。前後方向におけるかつらベースＸ１の長さは、例えば８．８ｃｍ程度に設定される。
【００４８】
図２は、本実施形態に係るかつらＹ１を示す。かつらＹ１は、かつらベースＸ１と、基部用毛材ベース６と、複数の張出部用毛材ベース７と、複数の毛材８と、を備えている。なお、図２では、説明の便宜上複数の毛材８の図示は省略する。
【００４９】
複数の毛材８は、複数の基部用毛材８１と、複数の張出部用毛材８２と、を有している。複数の基部用毛材８１は、かつらベースＸ１の基部２上に取り付けられる毛材である。また、複数の張出部用毛材８２は、かつらベースＸ１の張出部４上に取り付けられる毛材である。基部用毛材８１および張出部用毛材８２は、例えば合成樹脂フィラメントからなる人工毛材である。合成樹脂フィラメントとしては、例えば塩化ビニル、モダアクリル、ポリエステル、あるいはナイロン等が挙げられる。
【００５０】
基部用毛材ベース６には、複数の基部用毛材８１が取り付けられている。本実施形態では、基部用毛材ベース６は、例えばポリウレタンにより形成されるとともに、図３に示すように略楕円形状をなしており、当該基部用毛材ベース６に複数の基部用毛材８１が植え付けられている。基部用毛材ベース６は、使用者の旋毛に相当する旋毛部６１を有している。旋毛部６１は、基部用毛材ベース６のうち各基部用毛材８１が放散する渦中心となる部位である。なお、図３には、複数の基部用毛材８１のうち旋毛部６１を中心として放散する基部用毛材８１のみを図示しているが、基部用毛材８１は、基部用毛材ベース６の全体に亘って植え付けられている。
【００５１】
基部用毛材ベース６は、基部２の第２主面Ａ２に固定されている。具体的には、基部用毛材ベース６は、基部２の第２主面Ａ２に縫い付けられている。基部用毛材ベース６が基部２の第２主面Ａ２に取り付けられた状態で、平面視におけるかつらベースＸ１の図心Ｏ２は、旋毛部６１の前方に位置している。このため、旋毛部６１から前方張出部４４の中間辺５４ｃまでの長さは、旋毛部６１から後方張出部４３の中間辺５３ｃまでの長さよりも長く、具体的には、本実施形態では５．０ｃｍ程度であり、４．０ｃｍ〜１０．０ｃｍの範囲に設定されることが好ましい。また、本実施形態では、旋毛部６１は、平面視における基部２の図心Ｏ１と重なっている。
【００５２】
平面視して、基部２の外縁３と張出部４の外縁５との境界となる各境界点Ｂ１〜Ｂ８は、基部用毛材ベース６の外側に位置している。このため、平面視して、基部用毛材ベース６の全体は、基部２の内側に収まっている。
【００５３】
このように、かつらベースＸ１では、複数の基部用毛材８１が取り付けられた基部用毛材ベース６が基部２の第２主面Ａ２に取り付けられることにより、当該複数の基部用毛材８１が基部２上に配置される。なお、かつらベースＸ１が人口皮膚タイプのかつらベースである場合、基部用毛材ベース６はなくともよく、基部用毛材８１が基部２に直接取り付けられていればよい。
【００５４】
複数の張出部用毛材ベース７には、複数の張出部用毛材８２が取り付けられている。複数の張出部用毛材ベース７は、各張出部４１〜４４にそれぞれ取り付けられる。ここで、図４は、各張出部４１〜４４に取り付けられる以前の張出部用毛材ベース７を示す。図４に示すように、張出部用毛材ベース７は、一方向に延びる帯状のベース部材である。張出部用毛材ベース７は、当該張出部用毛材ベース７の長さ方向の中間に位置する中間部７１と、当該中間部７１の左右にそれぞれ連続する左端部７２および右端部７３と、を有している。複数の張出部用毛材８２は、張出部用毛材ベース７の長さ方向に並ぶように、中間部７１から各端部７２，７３に亘って張出部用毛材ベース７に取り付けられている。具体的には、本実施形態では、複数の張出部用毛材８２は、当該張出部用毛材８２の中間部分において折り返されており、当該折り返された中間部分が接着部材Ａ１によって張出部用毛材ベース７に接着されている。なお、複数の張出部用毛材８２は、例えば縫製等によって張出部用毛材ベース７に取り付けられてもよい。このようにして張出部用毛材ベース７に取り付けられた複数の張出部用毛材８２は、張出部用毛材ベース７の長さ方向の全域に亘って配置されており、当該長さ方向と交差する方向に延びている。
【００５５】
ここで、図５は、かつらＹ１におけるかつらベースＸ１の前方張出部４４を示す。図５に示すように、前方張出部４４の第２主面Ａ２上には、４つの張出部用毛材ベース７が取り付けられている。各張出部用毛材ベース７は、第２主面Ａ２上において縁辺５４ａから縁辺５４ｂに亘って延びるように配置されている。また、各張出部用毛材ベース７は、基部２の径方向に並んで配置されている。
【００５６】
前方張出部４４の第２主面Ａ２上に位置する４つの張出部用毛材ベース７のうち、基部２側に位置する３つの張出部用毛材ベース７は、図６に示すように、中間部７１が第２主面Ａ２上に位置するとともに各端部７２，７３が第１主面Ａ１上に位置するように縁辺５４ａ，５４ｂにて折り返されている。具体的には、図６に示す張出部用毛材ベース７は、中間部７１が前方張出部４４の第２主面Ａ２に縫い付けられている。そして、縁辺５４ａにて第１主面Ａ１側に折り返された左端部７２が当該第１主面Ａ１に縫い付けられるとともに縁辺５４ｂにて第１主面Ａ１側に折り返された右端部７３が当該第１主面Ａ１に縫い付けられている。これにより、各縁辺５４ａ，５４ｂは、張出部用毛材ベース７に覆われている。
【００５７】
一方、前方張出部４４の第２主面Ａ２上に位置する４つの張出部用毛材ベース７のうち、最も中間辺５４ｃ側に位置する張出部用毛材ベース７は、図７に示すように、左端部７２から右端部７３に亘る全体が第２主面Ａ２上に位置しており、当該第２主面Ａ２に縫い付けられている。ここで、図７では、第２主面Ａ２上のみならず、第１主面Ａ１上にも張出部用毛材ベース７が設けられている。第１主面Ａ１上に位置する張出部用毛材ベース７は、左端部７２から右端部７３に亘る全体が第１主面Ａ１上に位置しており、当該第１主面Ａ１に縫い付けられている。このように、図７に示す断面において、前方張出部４４は、２つの張出部用毛材ベース７に挟み込まれている。
【００５８】
左方張出部４１、右方張出部４２、および後方張出部４３には、前方張出部４４と同様に複数の張出部用毛材ベース７が取り付けられている。なお、左方張出部４１、右方張出部４２、および後方張出部４３のそれぞれの第２主面Ａ２に取り付けられる張出部用毛材ベース７の個数は、前方張出部４４の第２主面Ａ２に取り付けられる張出部用毛材ベース７の個数よりも少ない。本実施形態では、左方張出部４１、右方張出部４２、および後方張出部４３のそれぞれの第２主面Ａ２には、張出部用毛材ベース７が３つ設けられている。各張出部４１〜４３の第２主面Ａ２上に位置する３つの張出部用毛材ベース７のうち、基部２側に位置する２つの張出部用毛材ベース７は、中間部７１が第２主面Ａ２上に位置するとともに各端部７２，７３が第１主面Ａ１上に位置するように縁辺５１ａ〜５３ａ，５１ｂ〜５３ｂにて折り返されている。また、各張出部４１〜４３の第２主面Ａ２上に位置する３つの張出部用毛材ベース７のうち、最も中間辺５１ｃ〜５３ｃ側に位置する張出部用毛材ベース７は、左端部７２から右端部７３に亘る全体が第２主面Ａ２上に位置しており、前方張出部４４を挟んで当該張出部用毛材ベース７の反対側にはさらに張出部用毛材ベース７が設けられている。
【００５９】
以上のように、上記のかつらベースＸ１は、各張出部４１〜４４が共通の基部２に繋がることにより全体として一体化されつつ、互いに隣り合う各張出部４１〜４４が分断されて相互に独立するため、使用者の頭部に装着された状態で当該頭部の外観が悪化することを抑止できる。具体的には、かつらベースＸ１では、当該かつらベースＸ１を備えたかつらＹ１が使用者の頭部に装着された場合に、各張出部４１〜４４のうちいずれか一つの張出部が所定の位置からずれたとしても、これに伴って当該一つの張出部に隣り合う張出部が所定の位置がずれることを抑止できるため、張出部用毛材８２の動きが使用者の地毛に対して不自然なものとなることを抑止できる。
【００６０】
さらに、かつらベースＸ１は、各張出部４１〜４４が基部２を中心として当該基部２を囲むように配置されることによって、基部２が使用者の旋毛上に配置された際に、各張出部４１〜４４が当該旋毛を囲むように配置されるため、頭頂部に装着されるかつらベースとして好適である。
【００６１】
さらに、かつらベースＸ１は、複数の張出部４として左方張出部４１、右方張出部４２、後方張出部４３、および前方張出部４４の４つの張出部を有することによって、基部２が使用者の旋毛上に配置された際に、各張出部４１〜４４がそれぞれ使用者の左側頭部、右側頭部、後頭部、および前頭部上に沿って配置されるため、頭頂部に装着されるかつらベースとして好適である。そして、このかつらベースＸ１では、当該かつらベースＸ１を備えたかつらＹ１が使用者の頭部に装着された場合に、例えば使用者が前髪を掻き上げることにより、前頭部上に位置する前方張出部４４が所定の位置からずれたとしても、これに応じて前方張出部４４に隣り合う左方張出部４１および右方張出部４２が所定の位置からずれることを抑止できるため、張出部用毛材８２の動きが使用者の地毛に対して不自然なものとなることをより抑止できる。
【００６２】
さらに、かつらベースＸ１では、張出部４１〜４４のうち互いに隣り合う張出部同士が使用者の頭部における地毛が引き出される空間Ｓ１〜Ｓ４を介して相互に独立しているため、当該かつらベースＸ１を備えたかつらＹ１が使用者の頭部に装着された場合に、当該頭部における地毛に対する各毛材８の風合いを自然なものとすることができる。具体的には、かつらベースＸ１では、当該かつらベースＸ１を備えたかつらＹ１が使用者の頭部に装着された場合に、当該かつらベースが使用者の頭部に装着されるに際して、張出部４１〜４４のうち互いに隣り合う張出部間の空間Ｓ１〜Ｓ４から使用者の地毛が自然に引き出され、当該引き出された地毛とその周囲に位置する各毛材８とを馴染ませることによって、地毛に対する各毛材８の風合いを容易に自然なものとすることができる。
【００６３】
上記のかつらＹ１は、かつらベースＸ１を備えているため、全体として一体化されつつも、使用者の頭部に装着された状態で当該頭部の外観が悪化することを抑止できる。
【００６４】
さらに、かつらＹ１では、複数の基部用毛材８１が取り付けられた状態の基部用毛材ベース６を基部２に固定することにより、当該複数の基部用毛材８１を基部２上に容易に取り付けることができる。
【００６５】
さらに、かつらＹ１では、かつらベースＸ１の図心Ｏ２が旋毛部６１よりも前方に位置するため、旋毛部６１から前方張出部４４の中間辺５４ｃまでの長さを長くすることができ、これにより使用者の前頭部の外観を向上することができる。前頭部は、例えば鏡等によって視認されやすい部位であり、当該前頭部における前髪の分け目の外観の向上を望む使用者が多数存在する。かつらＹ１では、旋毛部６１から当該旋毛部６１の前方に位置する前方張出部４４の中間辺５４ｃまでの長さが長いため、当該前方張出部４４上に取り付けられた複数の張出部用毛材８２によって前髪の分け目を補うことができ、これにより前頭部の外観を向上することができる。
【００６６】
さらに、かつらＹ１では、前方張出部４４の縁辺５４ａ，５４ｂの長さが後方張出部４３の縁辺５３ａ，５３ｂの長さよりも長く、前方張出部４４の中間辺５４ｃの長さが後方張出部４３の中間辺５３ｃの長さよりも長いため、後方張出部４３に比して前方張出部４４の面積を大きくすることができる。このため、前方張出部４４上に取り付けられる複数の張出部用毛材８２の毛量を十分に確保することができ、これにより前頭部の外観をより向上することができる。
【００６７】
さらに、かつらＹ１では、平面視して基部２の外縁３と張出部４の外縁５との境界となる各境界点Ｂ１〜Ｂ８が基部用毛材ベース６の外側に位置するため、使用者の頭部の外観が悪化することをより抑止できる。具体的には、かつらＹ１では、当該かつらＹ１が使用者の頭部に装着された場合に、張出部用毛材８２が引っ張られることにより各境界点Ｂ１〜Ｂ８に外力が加わったとしても、当該各境界点Ｂ１〜Ｂ８が基部用毛材ベース６の外側に位置するため、当該基部用毛材ベース６が所定の位置からずれることを抑止でき、これにより使用者の地毛に対する基部用毛材８１の動きが不自然なものとなることを抑止できる。
【００６８】
さらに、かつらＹ１では、各張出部４１〜４４に取り付けられた張出部用毛材ベース７が縁辺５１ａ〜５４ａ，５１ｂ〜５４ｂにおいて折り返されているため、使用者の頭部の外観が悪化することをより抑止できる。具体的には、かつらＹ１では、複数の張出部用毛材８２が中間部７１から各端部７２，７３に亘って設けられており、中間部７１が第２主面Ａ２上に位置するとともに各端部７２，７３が第１主面Ａ１上に位置するように各張出部用毛材ベース７が縁辺５１ａ〜５４ａ，５１ｂ〜５４ｂにおいて折り返されているため、当該縁辺５１ａ〜５４ａ，５１ｂ〜５４ｂが張出部用毛材８２に覆われ、これにより当該縁辺５１ａ〜５４ａ，５１ｂ〜５４ｂが視認される可能性を低減できる。
【００６９】
以上説明した本実施形態は、すべての点で例示であって制限的なものではないと考えられるべきである。本発明の範囲は、上記の実施形態の説明ではなく特許請求の範囲によって示され、さらに特許請求の範囲と均等の意味および範囲内でのすべての変更が含まれる。
【００７０】
本実施形態に係るかつらベースＸ１では、基部２から当該基部２の前後左右方向にそれぞれ各張出部４１〜４４が張り出しているが、これに限らない。例えば、かつらベースは、基部から当該基部の前方に複数の張出部が張り出していてもよい。このような場合であっても、隣り合う張出部同士が分断されて相互に独立していれば、使用者の頭部の外観が悪化することを抑止できる。
【００７１】
また、各張出部４１〜４４の平面視における形状は、例えば、台形状、半楕円形状、または三角形状等であってもよい。このような場合であっても、隣り合う張出部同士が分断されて相互に独立していれば、使用者の頭部の外観が悪化することを抑止できる。
【符号の説明】
【００７２】
Ｘ１            かつらベース
Ｙ１            かつら
Ａ１            第１主面
Ａ２            第２主面
Ｂ１〜Ｂ８      境界点
Ｏ２            かつらベースの図心
２              基部
３              基部の外縁
４              張出部
４１            左方張出部
４２            右方張出部
４３            後方張出部
４４            前方張出部
５              張出部の外縁
６              基部用毛材ベース
６１            旋毛部
７              張出部用毛材ベース
７１            中間部
７２            左端部
７３            右端部
８              毛材
８１            基部用毛材
８２            張出部用毛材
【図１】
0006511230.tif 000002
【図２】
0006511230.tif 000003
【図３】
0006511230.tif 000004
【図４】
0006511230.tif 000005
【図５】
0006511230.tif 000006
【図６】
0006511230.tif 000007
【図７】
0006511230.tif 000008